(57)【特許請求の範囲】
【請求項１】
それぞれが発信ダイヤル列を発信する複数の通信端末と、それぞれに通信網ダイヤル列が設定された複数の通信網とに接続され、
通信端末より発信ダイヤル列が発信された際に特定の通信網の通信網ダイヤル列を選択し、選択した通信網ダイヤル列を発信ダイヤル列に付加する通信制御装置であって、
通信端末ごとに、少なくとも一つ以上の部分ダイヤル列を記憶するとともに、それぞれの部分ダイヤル列に対して所定の通信網の通信網ダイヤル列を通信端末ごとの個別の通信網ダイヤル列として記憶する通信網ダイヤル列記憶部と、
少なくとも一つ以上の部分ダイヤル列を記憶するとともに、それぞれの部分ダイヤル列に対して所定の通信網の通信網ダイヤル列を共通の通信網ダイヤル列として記憶する共通キャリア番号格納部と、
通信端末より発信された発信ダイヤル列を受信し、前記発信ダイヤル列を発信した発信元通信端末を特定するとともに、前記通信網ダイヤル列記憶部において前記発信元通信端末について部分ダイヤル列が記憶されているか否かを判断し、前記発信元通信端末について部分ダイヤル列が記憶されている場合に、前記発信元通信端末について記憶されている部分ダイヤル列の中から前記発信ダイヤル列の特定部分と一致する部分ダイヤル列を検索し、前記発信ダイヤル列の特定部分と一致する部分ダイヤル列が存在する場合に、前記発信ダイヤル列の特定部分と一致する部分ダイヤル列に対応する通信網ダイヤル列を前記発信元通信端末の個別の通信網ダイヤル列として選択する通信網ダイヤル列選択部と、
前記発信元通信端末の個別の通信網ダイヤル列が選択された場合に前記通信網ダイヤル列選択部により選択された前記発信元通信端末の個別の通信網ダイヤル列を前記発信ダイヤル列に付加し、前記発信元通信端末の個別の通信網ダイヤル列が選択されない場合に前記発信ダイヤル列の特定部分と一致する部分ダイヤル列に対応する共通の通信網ダイヤル列を前記発信ダイヤル列に付加する通信網ダイヤル列付加部とを有することを特徴とする通信制御装置。
【請求項２】
前記通信制御装置は、更に、
通信端末ごとの通信時間を記録し、通信端末ごとの通信時間の記録に基づき通信端末ごとに平均通信時間を算出する平均通信時間算出部を有し、
前記通信網ダイヤル列記憶部は、
通信端末ごとに、通信時間ごとに、少なくとも一つ以上の部分ダイヤル列を記憶するとともに、それぞれの部分ダイヤル列に対して所定の通信網の通信網ダイヤル列を記憶し、
前記通信網ダイヤル列選択部は、
通信端末より発信された発信ダイヤル列を受信し、前記発信ダイヤル列を発信した発信元通信端末を特定するとともに、前記通信網ダイヤル列記憶部において前記発信元通信端末について部分ダイヤル列が記憶されているか否かを判断し、前記発信元通信端末について部分ダイヤル列が記憶されている場合に、前記発信元通信端末について記憶されている通信時間の中から特定の通信時間を前記平均通信時間算出部により算出された前記発信元通信端末の平均通信時間に基づいて選択し、選択した通信時間について記憶されている部分ダイヤル列の中から前記発信ダイヤル列の特定部分と一致する部分ダイヤル列を検索し、前記発信ダイヤル列の特定部分と一致する部分ダイヤル列が存在する場合に、前記発信ダイヤル列の特定部分と一致する部分ダイヤル列に対応する通信網ダイヤル列を選択することを特徴とする請求項１に記載の通信制御装置。
【請求項３】
前記通信制御装置は、
前記複数の通信網として公衆回線上の複数の通信キャリアの通信網と接続しており、
前記通信網ダイヤル列記憶部は、
通信端末ごとに、少なくとも一つ以上の部分ダイヤル列を記憶するとともに、それぞれの部分ダイヤル列に対して所定の通信キャリアの通信網ダイヤル列を記憶し、
前記通信網ダイヤル列選択部は、
前記発信ダイヤル列の特定部分と一致する部分ダイヤル列に対応する通信キャリアの通信網ダイヤル列を選択することを特徴とする請求項１又は２に記載の通信制御装置。
【請求項４】
それぞれが発信ダイヤル列を発信する複数の通信端末と、それぞれに通信網ダイヤル列が設定された複数の通信網とを管理し、
通信端末より発信ダイヤル列が発信された際に特定の通信網の通信網ダイヤル列を選択し、選択した通信網ダイヤル列を発信ダイヤル列に付加する通信制御方法であって、
通信端末ごとに、少なくとも一つ以上の部分ダイヤル列を記憶するとともに、それぞれの部分ダイヤル列に対して所定の通信網の通信網ダイヤル列を通信端末ごとの個別の通信網ダイヤル列として記憶する通信網ダイヤル列記憶処理と、
少なくとも一つ以上の部分ダイヤル列を記憶するとともに、それぞれの部分ダイヤル列に対して所定の通信網の通信網ダイヤル列を共通の通信網ダイヤル列として記憶する共通キャリア番号格納処理と、
通信端末より発信された発信ダイヤル列を受信し、前記発信ダイヤル列を発信した発信元通信端末を特定するとともに、前記通信網ダイヤル列記憶処理により前記発信元通信端末について部分ダイヤル列が記憶されているか否かを判断し、前記発信元通信端末について部分ダイヤル列が記憶されている場合に、前記発信元通信端末について記憶されている部分ダイヤル列の中から前記発信ダイヤル列の特定部分と一致する部分ダイヤル列を検索し、前記発信ダイヤル列の特定部分と一致する部分ダイヤル列が存在する場合に、前記発信ダイヤル列の特定部分と一致する部分ダイヤル列に対応する通信網ダイヤル列を前記発信元通信端末の個別の通信網ダイヤル列として選択する通信網ダイヤル列選択処理と、
前記発信元通信端末の個別の通信網ダイヤル列が選択された場合に前記通信網ダイヤル列選択処理により選択された通信網ダイヤル列を前記発信ダイヤル列に付加し、前記発信元通信端末の個別の通信網ダイヤル列が選択されない場合に前記発信ダイヤル列の特定部分と一致する部分ダイヤル列に対応する共通の通信網ダイヤル列を前記発信ダイヤル列に付加する通信網ダイヤル列付加処理とを有することを特徴とする通信制御方法。
【発明の詳細な説明】
【０００１】
【発明の属する技術分野】
本発明は、端末及び回線を収容する通信制御装置に関し、特に複数の接続可能キャリアがある場合において、その端末単位にて定義した回線選択機能により、もっとも通話料金が安くなる通信キャリアを選択し使用する技術に関するものである。
【０００２】
【従来の技術】
端末を収容する通信制御装置の中には、複数の通信網の中から、通信距離及び通話時間に応じて、最も通話料金が安くなる通信網を自動的に選択するＬＣＲ（Ｌｅａｓｔ  Ｃｏｓｔ  Ｒｏｕｔｉｎｇ）と呼ばれる機能を備えたものがある。
【０００３】
従来のＬＣＲ機能を備えた通信制御装置は、利用可能な複数の通信キャリアについて、平均通話時間、通話時間帯に対して、市外局番単位に最も通信料金が安い通信キャリアが登録されたデータベースを有している。内線端末からダイヤルした場合、そのダイヤル列に対して、データベースを検索し、予め定められた時間の通話料金がもっとも安くなる通信網のキャリア特番を内線端末がダイヤルした番号列の前に自動的に付加する。
また、特開平１１−１５５０３３では、内線電話機からの呼出に応じて、予定時間を含む所定情報を入力させ、入力された所定情報にてもっとも通信料金の安い通信キャリアを算出させ、その通信キャリアを前記内線端末に通知して、ダイヤルするユーザに対して、手動にて通信キャリアの選択番号の入力を促し、入力された通信キャリア選択番号に応じて、通話路の設定を行う。
【０００４】
【発明が解決しようとする課題】
従来の通信制御装置は、データベース上に、市外局番単位に、予めて決められた通話時間にて、もっとも通信料金の安い通信キャリアが設定されているか、または、通話開始前に、予想通話時間、ダイヤル先情報を入力することにより、そのダイヤル先に対するもっとも安い通信キャリアが通知され、そのキャリア番号を手動入力することによりもっとも安い通信料金でダイヤルすることができた。この為、自動的に通信キャリア番号を付加する場合は、システムにて決まった通信時間での通信キャリア選択となる為、通信時間の個人差が反映されないため、場合によっては、もっとも安い通信キャリアの選択ができない。また、ダイヤル毎に事前にダイヤル先及び通話予想時間等の情報を入力する場合は、操作のわずらわしさが生じたり、不用意なトラフィック増加をもたらすなど問題点があった。
【０００５】
この発明は、上記のような問題点を解消するためになされたもので、端末及び公衆回線を収容し、これらの回線に対して音声もしくはデータを送受信する通信制御装置において、収容する端末から公衆網に対して発信する時に、端末単位に設定された接続先キャリア情報にて、発信ダイヤル列を分析し通信料金が最も安いと選択されたキャリア番号を自動的に付加する事を目的とする。
また、本発明では、過去の通信記録により、平均通信時間を自動的に算出し、通信時間にあった通信キャリアを選択することが可能である為、面倒な操作を必要としなくても、通信料金の安い通信キャリアの接続を可能としたものである。
【０００６】
【課題を解決するための手段】
本発明に係る通信制御装置は、
それぞれが発信ダイヤル列を発信する複数の通信端末と、それぞれに通信網ダイヤル列が設定された複数の通信網とに接続され、
通信端末より発信ダイヤル列が発信された際に特定の通信網の通信網ダイヤル列を選択し、選択した通信網ダイヤル列を発信ダイヤル列に付加する通信制御装置であって、
いずれかの通信端末について、少なくとも一つ以上の部分ダイヤル列を記憶するとともに、それぞれの部分ダイヤル列に対して所定の通信網の通信網ダイヤル列を記憶する通信網ダイヤル列記憶部と、
通信端末より発信された発信ダイヤル列を受信し、前記発信ダイヤル列を発信した発信元通信端末を特定するとともに、前記通信網ダイヤル列記憶部において前記発信元通信端末について部分ダイヤル列が記憶されているか否かを判断し、前記発信元通信端末について部分ダイヤル列が記憶されている場合に、前記発信元通信端末について記憶されている部分ダイヤル列の中から前記発信ダイヤル列の特定部分と一致する部分ダイヤル列を検索し、前記発信ダイヤル列の特定部分と一致する部分ダイヤル列が存在する場合に、前記発信ダイヤル列の特定部分と一致する部分ダイヤル列に対応する通信網ダイヤル列を選択する通信網ダイヤル列選択部と、
前記通信網ダイヤル列選択部により選択された通信網ダイヤル列を前記発信ダイヤル列に付加する通信網ダイヤル列付加部とを有することを特徴とする。
【０００７】
前記通信制御装置は、更に、
通信端末ごとの通信時間を記録し、通信端末ごとの通信時間の記録に基づき通信端末ごとに平均通信時間を算出する平均通信時間算出部を有し、
前記通信網ダイヤル列記憶部は、
いずれかの通信端末について、通信時間ごとに、少なくとも一つ以上の部分ダイヤル列を記憶するとともに、それぞれの部分ダイヤル列に対して所定の通信網の通信網ダイヤル列を記憶し、
前記通信網ダイヤル列選択部は、
通信端末より発信された発信ダイヤル列を受信し、前記発信ダイヤル列を発信した発信元通信端末を特定するとともに、前記通信網ダイヤル列記憶部において前記発信元通信端末について部分ダイヤル列が記憶されているか否かを判断し、前記発信元通信端末について部分ダイヤル列が記憶されている場合に、前記発信元通信端末について記憶されている通信時間の中から特定の通信時間を前記平均通信時間算出部により算出された前記発信元通信端末の平均通信時間に基づいて選択し、選択した通信時間について記憶されている部分ダイヤル列の中から前記発信ダイヤル列の特定部分と一致する部分ダイヤル列を検索し、前記発信ダイヤル列の特定部分と一致する部分ダイヤル列が存在する場合に、前記発信ダイヤル列の特定部分と一致する部分ダイヤル列に対応する通信網ダイヤル列を選択することを特徴とする。
【０００８】
前記通信制御装置は、
前記複数の通信網として公衆回線上の複数の通信キャリアの通信網と接続しており、
前記通信網ダイヤル列記憶部は、
いずれかの通信端末について、少なくとも一つ以上の部分ダイヤル列を記憶するとともに、それぞれの部分ダイヤル列に対して所定の通信キャリアの通信網ダイヤル列を記憶し、
前記通信網ダイヤル列選択部は、
前記発信ダイヤル列の特定部分と一致する部分ダイヤル列に対応する通信キャリアの通信網ダイヤル列を選択することを特徴とする。
【０００９】
本発明に係る通信制御装置は、
それぞれが発信ダイヤル列を発信する複数の通信端末と、それぞれに通信網ダイヤル列が設定された複数の通信網とに接続され、
通信端末より発信ダイヤル列が発信された際に特定の通信網の通信網ダイヤル列を選択し、発信ダイヤル列を選択した通信網ダイヤル列に変換する通信制御装置であって、
いずれかの通信端末について、少なくとも一つ以上のダイヤル列を記憶するとともに、それぞれのダイヤル列に対して所定の通信網の通信網ダイヤル列を記憶する通信網ダイヤル列記憶部と、
通信端末より発信された発信ダイヤル列を受信し、前記発信ダイヤル列を発信した発信元通信端末を特定するとともに、前記通信網ダイヤル列記憶部において前記発信元通信端末についてダイヤル列が記憶されているか否かを判断し、前記発信元通信端末についてダイヤル列が記憶されている場合に、前記発信元通信端末について記憶されているダイヤル列の中から前記発信ダイヤル列と一致するダイヤル列を検索し、前記発信ダイヤル列と一致するダイヤル列が存在する場合に、前記発信ダイヤル列と一致するダイヤル列に対応する通信網ダイヤル列を選択する通信網ダイヤル列選択部と、
前記発信ダイヤル列を前記通信網ダイヤル列選択部により選択された通信網ダイヤル列に変換する通信網ダイヤル列変換部とを有することを特徴とする。
【００１０】
前記通信制御装置は、
前記複数の通信網として公衆回線上の複数の通信キャリアの通信網と接続しており、
前記通信網ダイヤル列記憶部は、
いずれかの通信端末について、少なくとも一つ以上のダイヤル列を記憶するとともに、それぞれのダイヤル列に対して所定の通信キャリアの通信網ダイヤル列を記憶し、
前記通信網ダイヤル列選択部は、
前記発信ダイヤル列と一致するダイヤル列に対応する通信キャリアの通信網ダイヤル列を選択することを特徴とする。
【００１１】
前記通信制御装置は、
前記複数の通信網として専用線網及びＩＰ（Ｉｎｔｅｒｎｅｔ  Ｐｒｏｔｏｃｏｌ）網のうちの少なくともいずれか一つと接続しており、
前記通信網ダイヤル列記憶部は、
いずれかの通信端末について、少なくとも一つ以上のダイヤル列を記憶するとともに、それぞれのダイヤル列に対して専用線網の通信網ダイヤル列及びＩＰ網の通信網ダイヤル列のうちのいずれかを記憶し、
前記通信網ダイヤル列選択部は、
前記発信ダイヤル列と一致するダイヤル列に対応する専用線網の通信網ダイヤル列及びＩＰ網の通信網ダイヤル列のうちのいずれかを選択することを特徴とする。
【００１２】
本発明に係る通信制御方法は、
それぞれが発信ダイヤル列を発信する複数の通信端末と、それぞれに通信網ダイヤル列が設定された複数の通信網とを管理し、
通信端末より発信ダイヤル列が発信された際に特定の通信網の通信網ダイヤル列を選択し、選択した通信網ダイヤル列を発信ダイヤル列に付加する通信制御方法であって、
いずれかの通信端末について、少なくとも一つ以上の部分ダイヤル列を記憶するとともに、それぞれの部分ダイヤル列に対して所定の通信網の通信網ダイヤル列を記憶する通信網ダイヤル列記憶処理と、
通信端末より発信された発信ダイヤル列を受信し、前記発信ダイヤル列を発信した発信元通信端末を特定するとともに、前記通信網ダイヤル列記憶処理により前記発信元通信端末について部分ダイヤル列が記憶されているか否かを判断し、前記発信元通信端末について部分ダイヤル列が記憶されている場合に、前記発信元通信端末について記憶されている部分ダイヤル列の中から前記発信ダイヤル列の特定部分と一致する部分ダイヤル列を検索し、前記発信ダイヤル列の特定部分と一致する部分ダイヤル列が存在する場合に、前記発信ダイヤル列の特定部分と一致する部分ダイヤル列に対応する通信網ダイヤル列を選択する通信網ダイヤル列選択処理と、
前記通信網ダイヤル列選択処理により選択された通信網ダイヤル列を前記発信ダイヤル列に付加する通信網ダイヤル列付加処理とを有することを特徴とする。
【００１３】
本発明に係る通信制御方法は、
それぞれが発信ダイヤル列を発信する複数の通信端末と、それぞれに通信網ダイヤル列が設定された複数の通信網とを管理し、
通信端末より発信ダイヤル列が発信された際に特定の通信網の通信網ダイヤル列を選択し、発信ダイヤル列を選択した通信網ダイヤル列に変換する通信制御方法であって、
いずれかの通信端末について、少なくとも一つ以上のダイヤル列を記憶するとともに、それぞれのダイヤル列に対して所定の通信網の通信網ダイヤル列を記憶する通信網ダイヤル列記憶処理と、
通信端末より発信された発信ダイヤル列を受信し、前記発信ダイヤル列を発信した発信元通信端末を特定するとともに、前記通信網ダイヤル列記憶処理により前記発信元通信端末についてダイヤル列が記憶されているか否かを判断し、前記発信元通信端末についてダイヤル列が記憶されている場合に、前記発信元通信端末について記憶されているダイヤル列の中から前記発信ダイヤル列と一致するダイヤル列を検索し、前記発信ダイヤル列と一致するダイヤル列が存在する場合に、前記発信ダイヤル列と一致するダイヤル列に対応する通信網ダイヤル列を選択する通信網ダイヤル列選択処理と、
前記発信ダイヤル列を前記通信網ダイヤル列選択処理により選択された通信網ダイヤル列に変換する通信網ダイヤル列変換処理とを有することを特徴とする。
【００１４】
【発明の実施の形態】
実施の形態１．
以下、この発明の実施の形態１を図面を参照して説明する。
図１において、２１は通信端末、２２は通信制御装置、２３以降はこの通信制御装置２２の内部処理部分を示す。なお、通信端末２１は、例えば、電話機である。また、図１では、通信端末は１つしか示されていないが、通信制御装置２２には複数の通信端末が収容されている。また、通信制御装置２２は、公衆回線を収容し、公衆回線上の複数の通信キャリアの通信網を利用することができる。
２３は通信端末もしくは回線から発信された発信ダイヤル列を受信し、その発信ダイヤル列を解析するダイヤル受信・分析部、２４は部分ダイヤル列毎にもっとも安い料金のキャリア番号を定義した共通キャリア番号格納部、２５はダイヤル受信・分析部における発信ダイヤル列の解析結果に基づき発信ダイヤル列に対して選択された通信キャリア番号（通信網ダイヤル列）を自動的に付加するキャリア番号付加部、２６はダイヤル列に対して付加するキャリア番号を任意に設定・変更するキャリア番号設定部、２７は通信端末ごと（通信端末の端末番号ごと）に部分ダイヤル列と部分ダイヤル列に対して選択すべき通信キャリア番号との対を格納する個別キャリア番号格納部である。
なお、発信ダイヤル列とは、例えば、電話機より発信されるダイヤル番号であり、部分ダイヤル列とは、例えば、ダイヤル番号のうちの市外局番部分であり、通信キャリア番号（通信網ダイヤル列）とは、例えば、特定の通信キャリアを利用するためのキャリア特番である。
また、本実施の形態において、ダイヤル受信・分析部２３は通信網ダイヤル列選択部に、キャリア番号付加部２５は通信網ダイヤル列付加部に、個別キャリア番号格納部２７は、通信網ダイヤル列記憶部に相当する。
【００１５】
次に、個別キャリア番号格納部２７に格納されるデータについて説明する。
図３は、個別キャリア番号格納部２７の格納データの例を示す。
個別キャリア番号格納部２７では、端末番号ごとに、適用する部分ダイヤル列と、その部分ダイヤル列に対して使用する通信キャリアの通信キャリア番号とを対にして記憶している。図３の例では、端末番号ＸＸＸの通信端末について、部分ダイヤル列が０１１の場合（市外局番が０１１の場合）は、使用する通信キャリアの通信キャリア番号が００８８となっており、部分ダイヤル列が０３の場合（市外局番が０３の場合）は、使用する通信キャリアの通信キャリア番号が９９７７となっている。
【００１６】
次に動作について説明する。
この通信制御装置は、通信端末２１により発信ダイヤル列が発信されると、まず、ダイヤル受信・分析部２３にてその発信ダイヤル列を受信し、発信ダイヤル列を発信した発信元通信端末を特定するとともに、受信した発信ダイヤル列を分析する。その発信ダイヤル列が回線発信の時、当該発信元端末について部分ダイヤル列が個別キャリア番号格納部に格納されているか否かを判断し、更に、発信ダイヤル列の特定部分に一致する部分ダイヤル列がその発信元通信端末の部分ダイヤル列中に定義されているかを検索する。具体的には、発信ダイヤル列の市外局番部分と一致する部分ダイヤル列が定義されているかどうかを判断する。
該当する部分ダイヤル列が定義されていれば、定義されている部分ダイヤル列に対応する通信キャリア番号を選択する。
キャリア番号付加部２５では、ダイヤル受信・分析部２３にて選択された通信キャリア番号を発信ダイヤル列に自動的に付加する。
また、個別キャリア番号格納部２７にて該当する部分ダイヤル列が定義されていない場合は、共通キャリア番号格納部２４にて定義された通信キャリア番号を自動的にキャリア番号付加部２５にて付加する。
また、キャリア番号設定部２６では、共通キャリア番号格納部２４及び個別キャリア番号格納部２７の内容の設定、変更を可能とする。
【００１７】
以上により、通信端末毎に設定した個別キャリア番号格納部の情報にもとづき、通信端末より発信した時のダイヤル列に対して、自動的に通信キャリア番号を付加して、その通信キャリアのネットワークを使用することができる。
【００１８】
実施の形態２．
以下、この発明の実施の形態２を図を参照して説明する。
図２において、２１から２７までは、図１と共通であり、２８は通信端末毎に発信した時の通話時間（通信時間）を記録し、予め設定した回数にもとづき、その回数の平均通話時間（平均通信時間）を算出する通話記録部である。なお、通話記録部は、平均通信時間算出部に相当する。
また、図４は、本実施の形態における個別キャリア番号格納部２７に格納されているデータの例を示している。図４では、端末番号ＸＸＸの通信端末について通信時間が３分の場合と、５分の場合のデータが示されている。
【００１９】
次に動作について説明する。
この通信制御装置は、通話記録部２８により通信端末毎に過去に発信した際の通話時間を記録するとともに、記録内容に基づき平均通話時間を算出する。
前述したように個別キャリア番号格納部２７では複数の異なる通話時間にて部分ダイヤル列と通信キャリア番号の対が定義されており、個別キャリア番号格納部２７におけるそれぞれの通話時間は、通話記録部２８で算出された平均通話時間と関連づけられる。
ダイヤル受信・分析部２３では、通信端末より発信ダイヤル列を受信した際に、個別キャリア番号格納部２７における複数の通話時間のうち発信元通信端末の平均通話時間に最も近い通話時間を特定し、特定した通話時間にて定義された部分ダイヤル列のうち発信ダイヤル列の特定部分と一致するものを検索する。発信ダイヤル列の特定部分と一致する部分ダイヤル列が存在する場合には、その部分ダイヤル列に対応する通信キャリア番号をキャリア番号付加部２５にて発信ダイヤル列に自動的に付加する。
該当する部分ダイヤル列が存在しない場合の動作は実施の形態１と同様である。
【００２０】
これにより、通信端末２１を使用して、発信した場合の通話時間状況により、自動的に最適な通信キャリアを選択することが可能となる。
【００２１】
実施の形態３．
本実施の形態では、図５に示すように、キャリア番号格納部において、部分ダイヤル列（市外局番）のかわりに、ダイヤル列（相手先ダイヤル番号）の設定を可能とする。
この為、特定の番号を定義することによる割引サービス（例えば、ＮＴＴのテレホーダイ）に対して、固定的にその該当通信キャリアを使用することが可能となる。なお、このキャリア番号格納部においては、共通、個別とも設定可能とする。つまり、従来のＬＣＲでは、ダイヤルする市外局番にて通信キャリアの選択を実施していたが、電話番号に対して、通信キャリアの選択を可能とする。
具体的な動作は、実施の形態１で説明したものと同様である。但し、実施の形態１では、個別キャリア番号格納部２７に格納された部分ダイヤル列と発信ダイヤル列の特定部分（市外局番）とが一致するかどうかを判断していたが、本実施の形態では、個別キャリア番号格納部２７に格納されたダイヤル列（相手先ダイヤル番号）と発信ダイヤル列とが一致するかどうかを判断する。また、実施の形態１では、キャリア番号付加部２５は通信キャリア番号を発信ダイヤル列に付加していたが、本実施の形態では、キャリア番号付加部２５は発信ダイヤル列を通信キャリア番号に変換する。このため、本実施の形態では、キャリア番号付加部２５は、通信網ダイヤル列変換部に相当する。
【００２２】
実施の形態４．
本実施の形態では、図６に示すように、キャリア番号格納部において、同一回線における通信キャリアの選択ではなく、異なる収容網（例えば、専用線網、ＩＰ網）への変換を可能にする。つまり、ダイヤル先が専用線経由での接続がもっとも安い場合は、自動的に専用線網経由で接続し、ＩＰ網経由での接続がもっとも安い場合はＩＰ網経由で接続する。このようにして、複数の異なる回線を収容した場合は、その複数の通信回線に対して、最も通信料金が安い回線を使用することが可能とする。
【００２３】
以上の実施の形態１〜４では、本発明に係る通信制御装置の例について説明したが、実施の形態１〜４に示した動作手順により本発明に係る通信制御方法も実現可能である。
【００２４】
ここで、実施の形態１〜４に示した通信制御装置の特徴を再言する。
実施の形態１に示した通信制御装置は、
端末及び公衆回線を収容し、これらの回線に対して音声もしくはデータを送受信する通信制御装置において、収容する端末から公衆網に対して発信する時に、端末単位に設定された接続先キャリア情報にて、発信ダイヤル列を分析し、選択されたキャリア番号を自動的に付加する制御手段を備えたことを特徴とする。
【００２５】
実施の形態２に示した通信制御装置は、
端末及び公衆回線を収容し、これらの回線に対して音声もしくはデータを送受信する通信制御装置において、収容する端末から公衆網に対して発信する時に、端末単位に設定された過去の複数の通話記録をもとに平均通信時間を算出し、その平均通信時間におけるもっとも通話料金が安い通信キャリア番号を選択し、選択されたキャリア番号を自動的に付加する制御手段を備えたことを特徴とする。
【００２６】
実施の形態３に示した通信制御装置は、
端末及び公衆回線を収容し、これらの回線に対して音声もしくはデータを送受信する通信制御装置において、収容する端末から公衆網に対して発信する時に、端末もしくはシステムにて設定された個別の相手先番号及びその時に利用するキャリア番号を登録し、この番号が入力された場合は、固定的にこの設定されてあるキャリア番号を自動的に付加する制御手段を備えたことを特徴とする。
【００２７】
実施の形態４に示した通信制御装置は、
端末及び公衆回線、専用線、ＩＰ回線を収容し、これらの回線に対して音声もしくはデータを送受信する通信制御装置において、ダイヤル先毎に設定されている利用網を選択し、利用キャリア番号の付加もしくは変換アドレスを行い、自動的に前記番号を送出する制御手段ことを備えたことを特徴とする。
【００２８】
【発明の効果】
本発明によれば、通信端末に設定した部分ダイヤル列と発信ダイヤル列の特定部分とが一致した場合に部分ダイヤル列に対応する通信網ダイヤル列を自動的に発信ダイヤル列に付加するので、通信端末を使用するユーザに適した通信網を選定でき、経済的な通信を行うことができる。
【００２９】
また、本発明によれば、通信端末ごとに平均通信時間を算出し、平均通信時間に応じて通信網ダイヤル列を選択して自動的に発信ダイヤル列に付加するので、通信時間に対応した適切な通信網を選定でき、経済的な通信を行うことができる。
【００３０】
また、本発明によれば、通信端末に設定したダイヤル列と発信ダイヤル列の特定部分とが一致した場合に発信ダイヤル列を自動的にダイヤル列に対応する通信網ダイヤル列に変換するので、通信端末を使用するユーザに適した通信網を選定でき、経済的な通信を行うことができる。
【００３１】
また、本発明によれば、専用線網又はＩＰ網を利用可能な場合には、発信ダイヤル列を自動的に専用線網又はＩＰ網の通信網ダイヤル列に変換するので、公衆回線網に限らず多数の通信網の中から最適の通信網を選定でき、経済的な通信を行うことができる。
【図面の簡単な説明】
【図１】  実施の形態１に係る通信制御装置の構成例を示す図。
【図２】  実施の形態２に係る通信制御装置の構成例を示す図。
【図３】  実施の形態１に係る個別キャリア番号格納部の格納データ例を示す図。
【図４】  実施の形態２に係る個別キャリア番号格納部の格納データ例を示す図。
【図５】  実施の形態３に係る個別キャリア番号格納部の格納データ例を示す図。
【図６】  実施の形態４に係る個別キャリア番号格納部の格納データ例を示す図。
【符号の説明】
２１  通信端末、２２  通信制御装置、２３  ダイヤル受信・分析部、２４  共通キャリア番号格納部、２５  キャリア番号付加部、２６  キャリア番号設定部、２７  個別キャリア番号格納部、２８  通話記録部。
【図１】
0004278921.tif 000002
【図２】
0004278921.tif 000003
【図３】
0004278921.tif 000004
【図４】
0004278921.tif 000005
【図５】
0004278921.tif 000006
【図６】
0004278921.tif 000007